(57)【特許請求の範囲】
【請求項１】
命令受信方法であって、
１つ又は複数のパケットデータコンバージェンスプロトコル実体の重複伝送のアクティベーション又はディアクティベーションのための命令を受信し、前記命令がネットワーク装置によりビットマップフィールドを用いて送信され、前記ビットマップフィールドにおける１つのビット又は１対のビットが複数の無線ベアラのうちの１つの無線ベアラに対応し；及び
前記ビットマップフィールドに基づいて、無線ベアラに対応する前記１つ又は複数のパケットデータコンバージェンスプロトコル実体の重複伝送をアクティベーション又はディアクティベーションすることを含み、
前記ビットマップフィールドにおける第ｉ個目のビット又は第ｉ対目（ｉ−ｔｈ  ｐａｉｒ）のビットが、重複伝送と設定される無線ベアラの第ｉ個目のパケットデータコンバージェンスプロトコル実体に対応し、重複伝送と設定されるパケットデータコンバージェンスプロトコル実体が並べ替えられ、
前記ビットマップフィールドにおける１つのビット又は１対のビットが、
前記パケットデータコンバージェンスプロトコル実体の重複伝送がアクティベーションされ、且つ同時に複数のリンク上で前記パケットデータコンバージェンスプロトコル実体の重複伝送を行い；及び
前記パケットデータコンバージェンスプロトコル実体の重複伝送がディアクティベーションされ、且つ同時に複数のリンク上で前記パケットデータコンバージェンスプロトコル実体のスプリット伝送を行う操作のうちの１つを指示する、命令受信方法。
【請求項２】
請求項１に記載の命令受信方法であって、
前記ビットマップフィールドにおける１つのビット又は１対のビットについて、対応するパケットデータコンバージェンスプロトコル実体が、前記命令を送信するネットワーク装置と関連付けられているか、又は、ピア（ｐｅｅｒ）パケットデータコンバージェンスプロトコル実体が、前記命令を送信するネットワーク装置にあるかを確定し；及び
対応する前記パケットデータコンバージェンスプロトコル実体が、前記命令を送信するネットワーク装置と関連付けられており、又は、ピアパケットデータコンバージェンスプロトコル実体が、前記命令を送信するネットワーク装置にあると確定された場合、前記ビットマップフィールドにおける前記１つのビット又は１対のビットを読み取ることをさらに含む、命令受信方法。
【請求項３】
請求項２に記載の命令受信方法であって、
対応する前記パケットデータコンバージェンスプロトコル実体が、前記命令を送信するネットワーク装置と関連付けられず、又は、ピアパケットデータコンバージェンスプロトコル実体が、前記命令を送信するネットワーク装置に無いと確定された場合、前記ビットマップフィールドにおける前記１つのビット又は１対のビットを無視することをさらに含む、命令受信方法。
【請求項４】
請求項１に記載の命令受信方法であって、
重複伝送と設定される前記パケットデータコンバージェンスプロトコル実体が、対応する無線ベアラ標識の順序に従って並べ替えられる、命令受信方法。
【請求項５】
請求項１に記載の命令受信方法であって、
前記ビットマップフィールドにおける１つのビット又は１対のビットの１つの値が、対応する前記パケットデータコンバージェンスプロトコル実体の重複伝送状態の変更を指示し、もう１つの値が、対応する前記パケットデータコンバージェンスプロトコル実体の重複伝送状態の維持を指示するために用いられる、命令受信方法。
【請求項６】
命令受信装置であって、
複数の指令を記憶しているメモリ；及び
前記メモリに接続されるプロセッサを含み、
前記プロセッサは、前記指令を実行することにより、
１つ又は複数のパケットデータコンバージェンスプロトコル実体の重複伝送のアクティベーション又はディアクティベーションのための命令を受信し、前記命令がネットワーク装置によりビットマップフィールドを用いて送信され、前記ビットマップフィールドにおける１つのビット又は１対のビットが複数の無線ベアラのうちの１つの無線ベアラに対応し；及び
前記ビットマップフィールドに基づいて、無線ベアラに対応する前記１つ又は複数のパケットデータコンバージェンスプロトコル実体の重複伝送をアクティベーション又はディアクティベーションする操作を実現し、
前記ビットマップフィールドにおける第ｉ個目のビット又は第ｉ対目（ｉ−ｔｈ  ｐａｉｒ）のビットが、重複伝送と設定される無線ベアラの第ｉ個目のパケットデータコンバージェンスプロトコル実体に対応し、重複伝送と設定されるパケットデータコンバージェンスプロトコル実体が並べ替えられ、
前記ビットマップフィールドにおける１つのビット又は１対のビットが、
前記パケットデータコンバージェンスプロトコル実体の重複伝送がアクティベーションされ、且つ同時に複数のリンク上で前記パケットデータコンバージェンスプロトコル実体の重複伝送を行い；及び
前記パケットデータコンバージェンスプロトコル実体の重複伝送がディアクティベーションされ、且つ同時に複数のリンク上で前記パケットデータコンバージェンスプロトコル実体のスプリット伝送を行う操作のうちの１つを指示する、命令受信装置。
【請求項７】
請求項６に記載の命令受信装置であって、
前記プロセッサは、さらに、
前記ビットマップフィールドにおける１つのビット又は１対のビットについて、対応するパケットデータコンバージェンスプロトコル実体が、前記命令を送信するネットワーク装置と関連付けられているか、又は、ピア（ｐｅｅｒ）パケットデータコンバージェンスプロトコル実体が、前記命令を送信するネットワーク装置にあるかを確定し；及び
対応する前記パケットデータコンバージェンスプロトコル実体が、前記命令を送信するネットワーク装置と関連付けられており、又は、ピアパケットデータコンバージェンスプロトコル実体が、前記命令を送信するネットワーク装置にあると確定された場合、前記ビットマップフィールドにおける前記１つのビット又は１対のビットを読み取るように構成される、命令受信装置。
【請求項８】
請求項７に記載の命令受信装置であって、
前記プロセッサは、さらに、
対応する前記パケットデータコンバージェンスプロトコル実体が、前記命令を送信するネットワーク装置と関連付けられず、又は、ピアパケットデータコンバージェンスプロトコル実体が、前記命令を送信するネットワーク装置に無いと確定された場合、前記ビットマップフィールドにおける前記１つのビット又は１対のビットを無視するように構成される、命令受信装置。
【請求項９】
請求項６に記載の命令受信装置であって、
重複伝送と設定される前記パケットデータコンバージェンスプロトコル実体が、対応する無線ベアラ標識の順序に従って並べ替えられる、命令受信装置。
【請求項１０】
請求項６に記載の命令受信装置であって、
前記ビットマップフィールドにおける１つのビット又は１対のビットの１つの値が、対応する前記パケットデータコンバージェンスプロトコル実体の重複伝送状態の変更を指示し、もう１つの値が、対応する前記パケットデータコンバージェンスプロトコル実体の重複伝送状態の維持を指示するために用いられる、命令受信装置。
【請求項１１】
ネットワーク装置及びユーザ装置を含む通信システムであって、
前記ネットワーク装置は、ビットマップフィールドにより１つ又は複数のパケットデータコンバージェンスプロトコル実体の重複伝送のアクティベーション又はディアクティベーションのための命令を送信し、前記ビットマップフィールドにおける１つのビット又は１対のビットが複数の無線ベアラのうちの１つの無線ベアラに対応し、
前記ユーザ装置は、前記ネットワーク装置が送信する前記命令を受信し、前記ビットマップフィールドに基づいて、無線ベアラに対応する前記１つ又は複数のパケットデータコンバージェンスプロトコル実体の重複伝送をアクティベーション又はディアクティベーションし、
前記ビットマップフィールドにおける第ｉ個目のビット又は第ｉ対目（ｉ−ｔｈ  ｐａｉｒ）のビットが、重複伝送と設定される無線ベアラの第ｉ個目のパケットデータコンバージェンスプロトコル実体に対応し、重複伝送と設定されるパケットデータコンバージェンスプロトコル実体が並べ替えられ、
前記ビットマップフィールドにおける１つのビット又は１対のビットが、
前記パケットデータコンバージェンスプロトコル実体の重複伝送がアクティベーションされ、且つ同時に複数のリンク上で前記パケットデータコンバージェンスプロトコル実体の重複伝送を行い；及び
前記パケットデータコンバージェンスプロトコル実体の重複伝送がディアクティベーションされ、且つ同時に複数のリンク上で前記パケットデータコンバージェンスプロトコル実体のスプリット伝送を行う操作のうちの１つを指示する、通信システム。
【発明の詳細な説明】
【技術分野】
【０００１】
本発明は、通信技術分野に関し、特に、命令受信方法、装置及び通信システムに関する。
【背景技術】
【０００２】
3GPP（3rd  Generation  Partnership  Project）では、次世代無線通信システムに関する研究が行われている。高信頼性のデータ伝送をサポートするために、次世代システムでは、PDCP（Packet  Data  Convergence  Protocol）データのマルチリンク上の重複伝送（duplication  transmission）がサポートされる。同じPDCP  PDU（Protocol  Data  Unit）の、複数の異なるリンク上の伝送のダイバーシティ利得を用いることで、PDCP  PDU伝送のエラー確率を下げ、トラフィックの信頼性を保証することができる。
【０００３】
PDCP  PDUの重複伝送のリソース利用率がPDCP  PDUのスプリット伝送（split  transmission；即ち、異なるリンク上で異なるPDCP  PDUを伝送する）の半分である。PDCP  PDUの重複伝送は、大量の無線リソースを犠牲にしてデータ伝送の信頼性を向上させる。
【０００４】
よって、無線リンクの品質が比較的良く、スプリット伝送がデータ伝送の信頼性を満たすときに、重複伝送をディアクティベーション（deactivation）し、スプリット伝送を採用する必要がある。無線リンクの品質が悪くなるときに、データ伝送の信頼性を保証するために、重複伝送をアクティベーション（activation）する必要がある。
【０００５】
一方、ネットワーク装置が、現在の無線リンクの品質及びトラフィックのニーズに応じて、ユーザ装置（UE、User  Equipment）のPDCP  PDUデータの伝送モードを設定することができ、即ち、重複伝送をアクティベーション又はディアクティベーションすることができる。
【０００６】
なお、上述の背景技術についての紹介は、本発明の技術案を明確且つ完全に説明し、また、当業者がそれを理解しやすいためのものである。これらの技術案は、本発明の背景技術の一部に記述されているため、当業者にとって周知であると解釈すべきではない。
【発明の概要】
【発明が解決しようとする課題】
【０００７】
発明者が次のようなことを発見した。即ち、ユーザ装置が複数のネットワーク装置（例えば、基地局）に同時に接続されてマルチ接続伝送を行うときに、各ネットワーク装置は、単独で該ユーザ装置の重複伝送モードに対してアクティベーション又はディアクティベーションを行うことができる。しかし、ネットワーク装置が具体的にどのようにユーザ装置における１つ又は複数のPDCP実体（entity）に対して重複伝送のアクティベーション又はディアクティベーションを行うかについては、今のところ、有効な解決策が存在せず、また、ネットワーク装置側及びユーザ装置側の重複伝送モードに対しての設定に不整合の問題があり、今のところ、このような問題についても、有効な解決策が存在しない。
【０００８】
本発明の実施例は、命令受信方法、装置及び通信システムを提供する。ネットワーク装置は、ビットマップフィールドによりユーザ装置に重複伝送のアクティベーション又はディアクティベーションのための命令を送信することで、ユーザ装置における１つ又は複数のPDCP実体に対して重複伝送のアクティベーション又はディアクティベーションを行うことができる。
【課題を解決するための手段】
【０００９】
本発明の実施例の第一側面によれば、命令受信方法が提供され、それは、
ネットワーク装置がビットマップフィールドにより送信する重複伝送のアクティベーション又はディアクティベーションのための命令を受信し；及び
前記ビットマップフィールドに基づいて、１つ又は複数のパケットデータコンバージェンスプロトコル（PDCP）実体又は無線ベアラ（RB、Radio  Bearer）の重複伝送をアクティベーション又はディアクティベーションすることを含む。
【００１０】
本発明の実施例の第二側面によれば、命令受信装置が提供され、それは、
ネットワーク装置がビットマップフィールドにより送信する重複伝送のアクティベーション又はディアクティベーションのための命令を受信するための命令受信ユニット；及び
前記ビットマップフィールドに基づいて、１つ又は複数のパケットデータコンバージェンスプロトコル実体又は無線ベアラの重複伝送をアクティベーション又はディアクティベーションするための伝送処理ユニットを含む。
【００１１】
本発明の実施例の第三側面によれば、通信システムが提供され、それは、ネットワーク装置及びユーザ装置を含み、
前記ネットワーク装置は、ビットマップフィールドにより重複伝送のアクティベーション又はディアクティベーションのための命令を送信し、
前記ユーザ装置は、前記ネットワーク装置がビットマップフィールドにより送信する重複伝送のアクティベーション又はディアクティベーションのための命令を受信し、及び、前記ビットマップフィールドに基づいて、１つ又は複数のパケットデータコンバージェンスプロトコル実体又は無線ベアラの重複伝送をアクティベーション又はディアクティベーションする。
【００１２】
本発明の実施例の有益な効果が次の通りであり、即ち、ネットワーク装置がビットマップフィールドによりユーザ装置に重複伝送のアクティベーション又はディアクティベーションのための命令を送信することで、ユーザ装置における１つ又は複数のPDCP実体又は無線ベアラに対して重複伝送のアクティベーション又はディアクティベーションを行うことができる。
【００１３】
後述の説明及び図面を参照することで、本発明の特定の実施形態を詳しく開示し、本発明の原理を採用し得る態様を示す。なお、本発明の実施形態は、範囲上ではこれらによって限定されない。添付した特許請求の範囲内であれば、本発明の実施形態は、様々な変更、修正及び代替によるものを含んでも良い。
【００１４】
また、1つの実施方式について説明した及び／又は示した特徴は、同じ又は類似した方式で1つ又は複数の他の実施形態に用い、他の実施形態中の特徴と組み合わせ、又は、他の実施形態中の特徴を置換することもできる。
【００１５】
なお、「含む／有する」のような用語は、本明細書に使用されるときに、特徴、要素、ステップ、又はアセンブルの存在を指すが、1つ又は複数の他の特徴、要素、ステップ、又はアセンブリの存在又は付加を排除しないということも指す。
【図面の簡単な説明】
【００１６】
本発明の1つの図面又は1つの実施形態に記載の要素及び特徴は、1つ又は複数の他の図面又は実施形態に示した要素及び特徴と組み合わせることができる。また、図面では、類似した符号は、幾つの図面中の対応する部品を示し、複数の実施形態に用いる対応部品を示すためにも用いられる。
【図１】本発明の実施例における通信システムを示す図である。
【図２】本発明の実施例1における命令受信方法を示す図である。
【図３】本発明の実施例1における命令受信方法を示す他の図である。
【図４】本発明の実施例1におけるPDCP実体の一例を示す図である。
【図５】本発明の実施例1における命令指示及び受信方法を示す図である。
【図６】本発明の実施例2における命令受信装置を示す図である。
【図７】本発明の実施例2における命令受信装置を示す他の図である。
【図８】本発明の実施例3におけるネットワーク装置を示す図である。
【図９】本発明の実施例3におけるユーザ装置を示す図である。
【発明を実施するための形態】
【００１７】
添付した図面及び以下の説明を参照することにより、本発明の前述及び他の特徴が明らかになる。なお、明細書及び図面では、本発明の特定の実施形態を開示するが、それは、本発明の原理を採用し得る一部のみの実施形態を示し、理解すべきは、本発明は、記載されている実施形態に限定されず、即ち、本発明は、添付した特許請求の範囲内でのすべての変更、変形及び代替によるものも含むということである。
【００１８】
本発明の実施例では、用語“通信ネットワーク”又は“無線通信ネットワーク”は、次のような任意の通信規格に準ずるネットワークを指しても良く、例えば、LTE（LTE、Long  Term  Evolution）、LTE-A（LTE-Advanced）、WCDMA(登録商標)（Wideband  Code  Division  Multiple  Access）、HSPA（High-Speed  Packet  Access）などである。
【００１９】
また、通信システム中の装置間の通信は、任意の段階の通信プロトコルに従って行われても良く、例えば、次のような通信プロトコルを含んでも良いが、それに限定されず、即ち、1G（generation）、2G、2.5G、2.75G、3G、4G、4.5G及び将来の5G、新無線（NR、New  Radio）など、及び／又は、その他の従来の又は将来に開発される通信プロトコルである。
【００２０】
本発明の実施例では、用語“ネットワーク装置”は、例えば、通信システム中の、端末装置を通信ネットワークに接続して該端末装置にサービスを提供する装置を指す。ネットワーク装置は、次のようなものを含んでも良いが、それに限定されず、即ち、基地局（BS、Base  Station）、アクセスポイント（AP、Access  Point）、送受信ポイント（TRP、Transmission  Reception  Point）、ブロードキャスト送信機、モバイル管理エンティティ（MME、Mobile  Management  Entity）、ネットワークゲートウェイ、サーバー、無線ネットワーク制御器（RNC、Radio  Network  Controller）、基地局制御器（BSC、Base  Station  Controller）などである。
【００２１】
そのうち、基地局は、次のようなものを含んでも良いが、それに限定されず、即ち、ノードB（NodeB又はNB）、進化ノードB（eNodeB又はeNB）及び5G基地局（gNB）などであり、さらにRRH（Remote  Radio  Head）、RRU（Remote  Radio  Unit）、リレー（relay）又は低パワーノード（例えば、femto、picoなど）を含んでも良い。また、用語“基地局”は、それらの一部又はすべての機能を含んでも良く、各基地局は、特定の地理的領域に対して通信カバレッジを提供することができる。用語“セル”が指すのは、基地局及び／又はそのカバーする領域であっても良い、これは、該用語のコンテキストによるものである。
【００２２】
本発明の実施例では、用語“ユーザ装置”（UE、User  Equipment）又は“端末装置”（TE、Terminal  Equipment）は、例えば、ネットワーク装置により通信ネットワークにアクセスし、そして、ネットワークからのサービスを受ける装置を指す。ユーザ装置は、固定したもの又は移動するものであっても良く、また、移動ステーション（MS、Mobile  Station）、端末、ユーザステーション（SS、Subscriber  Station）、アクセス端末（AT、Access  Terminal）、ステーションなどとも称される。
【００２３】
そのうち、ユーザ装置は、次のようなものを含んでも良いが、それに限定されず、例えば、携帯電話（Cellular  Phone）、PDA（Personaｌ  Digital  Assistant）、無線モデム、無線通信装置、携帯装置、機器型通信装置、ラップトップコンピュータ、コードレス電話機、スマートフォン、スマートウォッチ、デジタルカメラなどである。
【００２４】
また、例えば、IoT（Internet  of  Things）などのシナリオでは、ユーザ装置は、さらに、監視又は測定を行う機器又は装置であっても良く、例えば、次のようなものを含んでも良いが、それに限定されず、即ち、機器型通信（MTC、Machine  Type  Communication）端末、車載通信端末、D2D（Device  to  Device）端末、M2M（Machine  to  Machine）端末などである。
【００２５】
以下、例を挙げて本発明の実施例におけるシナリオについて説明を行うが、本発明は、これに限られない。
【００２６】
図1は、本発明の実施例における通信システムを示す図であり、ユーザ装置及びネットワーク装置を例とする場合を例示的に説明するためのものである。図1に示すように、通信システム100は、ネットワーク装置101、ネットワーク装置102及びユーザ装置103を含んでも良い。便宜のため、図1では、１つのユーザ装置及び２つのネットワーク装置を例として説明を行うが、本発明の実施例は、これに限定されない。
【００２７】
本発明の実施例では、ネットワーク装置101又は102と、ユーザ装置103との間で従来のトラフィック又は将来実施可能なトラフィックが行われても良い。これらのトラフィックは、例えば、eMBB（enhanced  Mobile  Broadband）、mMTC（massive  Machine  Type  Communication）、URLLC（Ultra-Reliable  and  Low-Latency  Communication）などを含んでも良いが、これに限られない。
【００２８】
本発明の実施例では、ユーザ装置の複数のPDCP実体が重複伝送されるときに、あるネットワーク装置が、一部のみのPDCP実体に対してアクティベーション又はディアクティベーションを行う可能性があり、他のPDCP実体に対して設定を行う必要がない。このときに、新しいアクティベーション命令フォーマットを設計してユーザ装置の一部のPDCP実体に対してのアクティベーション又はディアクティベーションをサポートする必要があり、他のPDCP実体の伝送状態を変更することが要されない。
【００２９】
なお、本発明の実施例では、ユーザ装置が２つ以上のネットワーク装置に同時に接続されることを例として説明を行うが、本発明は、これに限定されない。例えば、本発明による方法又は装置は、さらに、ユーザ装置が２つ以上のネットワーク装置に同時に接続されないシナリオに適用することもできる。
【実施例１】
【００３０】
本発明の実施例は、命令受信方法を提供し、それは、複数のネットワーク装置に同時に接続される１つのユーザ装置と、前記複数のネットワーク装置のうちの１つのネットワーク装置との間に応用される。
【００３１】
図2は、本発明の実施例における命令受信方法を示す図であり、ユーザ装置側から説明を行うためのものである。図2に示すように、前記命令受信方法は、以下のようなステップを含む。
【００３２】
ステップ201：ユーザ装置が、ネットワーク装置がビットマップフィールドにより送信する重複伝送のアクティベーション又はディアクティベーションのための命令を受信し；
ステップ202：ユーザ装置が、前記ビットマップフィールドに基づいて、前記ユーザ装置における１つ又は複数のPDCP実体又は無線ベアラの重複伝送をアクティベーション又はディアクティベーションする。
【００３３】
本実施例では、前記ビットマップ（bitmap）フィールドにおける各ビットが１つのPDCP実体又はRBに対応しても良く、又は、前記ビットマップフィールドにおける各複数のビット（例えば、２つ又は１対（a  pair）であるが、本発明は、これに限定されず、２つ以上であっても良い）が１つのPDCP実体又はRBに対応しても良い。
【００３４】
本実施例では、無線ベアラ（RB）は、データ無線ベアラ（DRB、Data  Radio  Bearer）及び／又はシグナリング無線ベアラ（SRB、Signaling  Radio  Bearer）を含んでも良いが、本発明は、これに限定されない。以下、DRBを例として説明を行う。また、PDCP及びRBに関する具体的な内容については、関連技術を参照することができる。
【００３５】
１つの実施方式では、前記ビットマップフィールドにおける第i個目の（i-th）ビット又は第i対目（i-th  pair）のビットが、DRB標識（drb-Identity又はDRB  identity）がiであるPDCP実体に対応しても良い。
【００３６】
例えば、１つのユーザ装置が32個（本発明は、これに限定されず、他の数量であっても良い）のPDCP実体をサポートし、対応するDRB標識が0乃至31で表される場合、該ビットマップフィールドは、32個のビットを、この32個のPDCP実体にそれぞれ対応するように含んでも良い。
【００３７】
また、例えば、１つのユーザ装置が32個（本発明は、これに限定されず、他の数量であっても良い）のPDCP実体をサポートし、対応するDRB標識が0乃至31で表される場合、該ビットマップフィールドは、32対のビット（即ち、64個のビット）を、この32個のPDCP実体にそれぞれ対応するように含んでも良い。
【００３８】
もう１つの実施方式では、前記ビットマップフィールドにおける第i個目のビット又は第i対目のビットが、重複伝送標識（Duplication  identity）がiであるパケットデータコンバージェンスプロトコル実体に対応しても良い。そのうち、該重複伝送標識は、ネットワーク装置側で設定され、且つ前記DRB標識と独立したものであっても良い。
【００３９】
例えば、１つのユーザ装置が32個（本発明は、これに限定されず、他の数量であっても良い）PDCP実体をサポートし、対応する重複伝送標識が0乃至31で表される場合、該ビットマップフィールドは、32個のビットを、この32個のPDCP実体にそれぞれ対応するように含んでも良い。
【００４０】
また、例えば、１つのユーザ装置が32個（本発明は、これに限定されず、他の数量であっても良い）のPDCP実体をサポートし、対応する重複伝送標識が0乃至31で表される場合、該ビットマップフィールドは、32対のビット（即ち、64個のビット）を、この32個のPDCP実体にそれぞれ対応するように含んでも良い。
【００４１】
もう１つの実施方式では、前記ビットマップフィールドにおける第i個目のビット又は第i対目のビットが、前記ユーザ装置中で重複伝送と設置されるPDCP実体に対して並べ替えを行った後の第i個目のPDCP実体に対応しても良い。
【００４２】
例えば、１つのユーザ装置が32個（本発明は、これに限定されず、他の数量であっても良い）のPDCP実体をサポートし、そのうち、例えば、8個のPDCP実体が、（先後）順に、ネットワーク装置により、重複伝送モードを使用する（即ち、重複伝送がアクティベーションされる）と設定される場合、重複伝送と設定されるこの8個のPDCP実体に対して並べ替えを行うことができる。
【００４３】
なお、以上、第i個目のビット又は第i対目のビットは、ビットシーケンスの最高桁から最低桁への順序に従って確定されても良く、他の並べ替え方式で確定されても良い。例えば、該第i個目のビットは、ある種の索引番号iに対応するビットであっても良く、又は、iの初期値は、0又は1又は他の任意の所定の数値などであっても良い。本発明は、これに限定されず、実際の状況に応じてiの具体的な数値を確定しても良い。
【００４４】
１つの例では、重複伝送と設定される前記PDCP実体は、ネットワーク装置が重複伝送を設定する（先後）順序に従って並べ替えることができる。また、もう１つの例では、これらのPDCP実体に対応するDRB標識の（大小）順序に従って並べ替えることもできる。なお、以上、如何に、重複伝送と設定されるPDCP実体に対して並べ替えを行うかを説明したが、本発明は、これに限定されず、他の適切な並べ替え方法を採用しても良い。
【００４５】
例えば、重複伝送と設定されるPDCP実体が並べ替え後に0乃至7で表される場合、該ビットマップフィールドは、8個のビットを、重複伝送と設定されるこの8個のPDCP実体にそれぞれ対応するように含んでも良い。或いは、該ビットマップフィールドは、8対のビット（即ち、16個のビット）を、重複伝送と設定されるこの8個のPDCP実体にそれぞれ対応するように含んでも良い。
【００４６】
本実施例では、前記ビットマップフィールドにおける１つのビット又は複数のビットについて、ユーザ装置は、対応するPDCP実体が、前記命令を送信するネットワーク装置と関連付けられているかを確定し、又は、ピア（peer）PDCP実体が、前記命令を送信するネットワーク装置にあるかを確定することができる。
【００４７】
対応するPDCP実体が、前記命令を送信するネットワーク装置と関連付けられており、又は、ピア（peer）PDCP実体が、前記命令を送信するネットワーク装置にあると確定された場合、前記ビットマップフィールドにおける前記１つのビット又は複数のビットを読み取る。対応するPDCP実体が、前記命令を送信するネットワーク装置と関連付けられず、又は、ピア（peer）PDCP実体が、前記命令を送信するネットワーク装置に無いと確定された場合、前記ビットマップフィールドにおける前記１つのビット又は複数のビットを無視する。
【００４８】
図3は、本発明の実施例における命令受信方法を示す他の図であり、ユーザ装置側から説明を行うためのものである。そのうち、便宜のため、指示粒度（indication  granularity）が１つのビットであり、PDCP実体がネットワーク装置と関連付けられているかを確定することを例として説明を行うが、指示粒度が複数のビットである場合でも、類似した処理を行うことができる。
【００４９】
図3に示すように、前記命令受信方法は、以下のようなステップを含む。
【００５０】
ステップ301：ユーザ装置が、ネットワーク装置がビットマップフィールドにより送信する重複伝送のアクティベーション又はディアクティベーションのための命令を受信し；
ステップ302：前記ビットマップフィールドにおける或るビットを選択し；
ステップ303：該ビットに対応するPDCP実体が、前記命令を送信するネットワーク装置と関連付けられているかを確定し、「はい」の場合、ステップ304を実行し、そうでない場合、ステップ306を実行し、該ビットを無視する。
【００５１】
ステップ304：前記ビットマップフィールドにおける前記１つのビットの値を読み取り；
ステップ305：該ビットの値に基づいて、対応するPDCP実体又は無線ベアラの重複伝送をアクティベーション又はディアクティベーションし；
ステップ306：前記ビットマップフィールドに未処理のビットがまだあるかを確定し、「はい」の場合、ステップ302を実行してもう１つのビットを再選択して処理を行い、それでない場合、今回の処理プロセスを終了する。
【００５２】
なお、以上、図3は、本発明の実施例を例示的に説明するためのものに過ぎず、本発明は、これに限定されない。例えば、各ステップ間の実行順序を適切に調整し、また、幾つかのステップを増減することもできる。言い換えると、当業者が上述の内容を基に適切な変形を行っても良く、上述の図3の記載に限られない。
【００５３】
図4は、本発明の実施例におけるPDCP実体の一例を示す図である。以下、ステップ303について例示的に説明する。
【００５４】
図4に示すように、ユーザ装置が第一基地局及び第二基地局に接続され、そのうち、ユーザ装置にはPDCP  1及びPDCP  2があり、それ相応に、PDCP  1のピア（peer）PDCP  1が第一基地局にあり、又は、PDCP  1が第一基地局と関連付けられており、PDCP  2のピア（peer）PDCP  2が第二基地局にあり、又は、PDCP  2が第二基地局と関連付けられている。ユーザ装置は、各種の設定又は定義などに基づいて、各PDCP実体のピア（peer）PDCP実体がどの基地局にあるか、又は、PDCP実体がどの基地局と関連付けられているかを把握することができる。なお、その具体的な内容については、関連技術を参照することができる。
【００５５】
例えば、ユーザ装置が第一基地局送信の重複伝送のアクティベーション又はディアクティベーションのための命令を受信しており、該命令には、ビットマップフィールド、例えば、11010011が含まれている。そのうち、第1個目のビットがPDCP  1に対応する。PDCP  1のピア（peer）PDCP  1が第一基地局にあり、又は、PDCP  1が第一基地局と関連付けられているから、ユーザ装置は、該ビットについて、該ビットの値“1”を読み取り、該値に基づいてPDCP  1の重複伝送をアクティベーションすることができる。
【００５６】
また、例えば、ユーザ装置が第二基地局送信の重複伝送のアクティベーション又はディアクティベーションのための命令を受信しており、該命令には、ビットマップフィールド、例えば、11010011が含まれている。そのうち、第1個目のビットがPDCP  1に対応する。PDCP  1のピア（peer）PDCP  1が第一基地局にあり、又は、PDCP  1が第一基地局と関連付けられているから、ユーザ装置は、該ビットについて、該ビットの値“1”を読み取らず、該ビットを無視する。
【００５７】
本実施例では、前記ビットマップフィールドにおける各ビット又は各複数のビット（例えば、２つ又は１対（a  pair））のうちの１つの値が、対応する前記PDCP実体の伝送状態の変更を指示するために用いられても良く、もう１つの値が、対応する前記PDCP実体の伝送状態の維持を指示するために用いられても良い。
【００５８】
例えば、ビット“1”が、ユーザ装置に、対応するPDCP実体の伝送状態を変更するように指示するために用いられても良い。即ち、該PDCP実体の元の伝送状態が重複伝送のアクティベーション状態である場合、ユーザ装置に、該PDCP実体の伝送状態を重複伝送のディアクティベーション状態に変更するように指示し、該PDCP実体の元の伝送状態が重複伝送のディアクティベーション状態である場合、ユーザ装置に、該PDCP実体の伝送状態を重複伝送のアクティベーション状態に変更するように指示する。ビット“0”が、ユーザ装置に、該PDCP実体の現在の伝送状態を維持し、アクティベーション又はディアクティベーション状態の変更を行うことを要しないように指示するために用いられる。
【００５９】
また、例えば、ビット“0”が、ユーザ装置に、対応するPDCP実体の伝送状態を変更するように指示するために用いられても良い。即ち、該PDCP実体の元の伝送状態が重複伝送のアクティベーション状態である場合、ユーザ装置に、該PDCP実体の伝送状態を重複伝送のディアクティベーション状態に変更するように指示し、該PDCP実体の元の伝送状態が重複伝送のディアクティベーション状態である場合、ユーザ装置に、該PDCP実体の伝送状態を重複伝送のアクティベーション状態に変更するように指示する。ビット“1”が、ユーザ装置に、該PDCP実体の現在の伝送状態を維持し、アクティベーション又はディアクティベーション状態の変更を行うことを要しないように指示するために用いられても良い。
【００６０】
例えば、ビット“11”が、ユーザ装置に、対応するPDCP実体の伝送状態を変更するように指示するために用いられても良い。即ち、該PDCP実体の元の伝送状態が重複伝送のアクティベーション状態である場合、ユーザ装置に、該PDCP実体の伝送状態を重複伝送のディアクティベーション状態に変更するように指示し、該PDCP実体の元の伝送状態が重複伝送のディアクティベーション状態である場合、ユーザ装置に、該PDCP実体の伝送状態を重複伝送のアクティベーション状態に変更するように指示する。ビット“00”が、ユーザ装置に、該PDCP実体の現在の伝送状態を維持し、アクティベーション又はディアクティベーション状態の変更を行うことを要しないように指示するために用いられても良い。
【００６１】
例えば、ビット“00”が、ユーザ装置に、対応するPDCP実体の伝送状態を変更するように指示するために用いられても良い。即ち、該PDCP実体の元の伝送状態が重複伝送のアクティベーション状態である場合、ユーザ装置に、該PDCP実体の伝送状態を重複伝送のディアクティベーション状態に変更するように指示し、該PDCP実体の元の伝送状態が重複伝送のディアクティベーション状態である場合、ユーザ装置に、該PDCP実体の伝送状態を重複伝送のアクティベーション状態に変更するように指示する。ビット“11”が、ユーザ装置に、該PDCP実体の現在の伝送状態を維持し、アクティベーション又はディアクティベーション状態の変更を行うことを要しないように指示するために用いられても良い。
【００６２】
また、例えば、“11”が、該PDCP実体の重複伝送をアクティベーションするように指示するために用いられても良く、該PDCP実体は、同時に複数のリンク上で重複伝送され、“00”が、該PDCP実体の重複伝送をディアクティベーションするように指示するために用いられても良く、該PDCP実体は、同時に複数のリンク上でスプリット伝送され、“10”が、該PDCP実体の重複伝送をディアクティベーションするように指示するために用いられても良く、該PDCP実体は、第一RLC実体上でシングルリンク伝送され、“01”が、該PDCP実体の重複伝送をディアクティベーションするように指示するために用いられても良く、該PDCP実体は、第二RLC実体上でシングルリンク伝送される。
【００６３】
なお、以上、如何に、１つ又は複数のビットの値に基づいて対応するPDCP実体の伝送状態を変更又は維持するかを例示的に説明したが、本発明は、これに限定されず、１つ又は複数のビットの具体的な値の指示意味について、ニーズに応じて確定しても良い。
【００６４】
本実施例では、上述のようなビット読み取り及びビット指示の意味を組み合せることもできる。
【００６５】
例えば、図4に示す例について、ユーザ装置が第一基地局送信の重複伝送のアクティベーション又はディアクティベーションのための命令を受信しており、該命令には、ビットマップフィールド、例えば、11010011が含まれている。そのうち、第1個目のビットがPDCP  1に対応する。PDCP  1のピア（peer）PDCP  1が第一基地局にあり、又は、PDCP  1が第一基地局と関連付けられているから、ユーザ装置は、該ビットについて、該ビットの値“1”を読み取ることができる。
【００６６】
該ビット“1”は、ユーザ装置に、対応するPDCP1実体の伝送状態を変更するように指示するために用いられても良い。即ち、該PDCP  1実体の元の伝送状態が重複伝送のアクティベーション状態である場合、ユーザ装置に、該PDCP  1実体の伝送状態を重複伝送のディアクティベーション状態に変更するように指示し、該PDCP  1実体の元の伝送状態が重複伝送のディアクティベーション状態である場合、ユーザ装置に、該PDCP  1実体の伝送状態を重複伝送のアクティベーション状態に変更するように指示する。
【００６７】
また、例えば、ユーザ装置が第一基地局送信の重複伝送のアクティベーション又はディアクティベーションのための命令を受信しており、該命令には、ビットマップフィールド、例えば、01010011が含まれている。そのうち、第1個目のビットがPDCP  1に対応する。PDCP  1のピア（peer）PDCP1が第一基地局にあり、又は、PDCP  1が第一基地局と関連付けられているから、ユーザ装置は、該ビットについて、該ビットの値“0”を読み取ることができる。該ビット“0”は、ユーザ装置に、対応するPDCP1実体の伝送状態を維持するように指示するために用いることができる。
【００６８】
本実施例では、前記ビットマップフィールドにおける各ビット又は各複数のビットが、対応するPDCP実体が次のような操作のうちの１つを実行するように指示するために用いられても良く、即ち、前記PDCP実体の重複伝送がアクティベーションされ、且つ前記PDCP実体が同時に複数のリンク上で重複伝送され；前記PDCP実体の重複伝送がディアクティベーションされ、且つ前記PDCP実体が同時に複数のリンク上でスプリット伝送され；及び、前記PDCP実体の重複伝送がディアクティベーションされ、且つ前記PDCPが指定の無線リンク制御（RLC、Radio  Link  Control）実体上でシングルリンク伝送され、例えば、第一RLC実体上でシングルリンク伝送され、又は、第二RLC実体上でシングルリンク伝送される。
【００６９】
図5は、本発明の実施例における命令受信方法を示す他の図であり、ネットワーク装置側及びユーザ装置側から説明を行うためのものである。図5に示すように、前記命令受信方法は、以下のようなステップを含む。
【００７０】
ステップ501：ネットワーク装置が、ユーザ装置における１つ又は複数のPDCP実体又はRBが重複伝送モードをアクティベーションするかを確定し；
ステップ502：ネットワーク装置が、ビットマップフィールドにより、前記ユーザ装置に重複伝送のアクティベーション又はディアクティベーションのための命令を送信し；
ステップ503：ユーザ装置が該命令を受信した後に、該ビットマップフィールドに基づいて、１つ又は複数のPDCP実体又はRBの重複伝送をアクティベーション又はディアクティベーションする。
【００７１】
例えば、あるPDCP実体又はRBが該命令の中で対応するビットが“1”である場合、該PDCP実体は、その伝送状態を変更する必要がある。即ち、該PDCP実体の元の伝送状態が重複伝送のアクティベーション状態である場合、該PDCP実体の伝送状態は、重複伝送のディアクティベーション状態に変更すべきであり、該PDCP実体の元の伝送状態が重複伝送のディアクティベーション状態である場合、該PDCP実体の伝送状態は、重複伝送のアクティベーション状態に変更すべきである。あるPDCP実体又はRBが該命令の中で対応するビットが“0”である場合、該PDCP実体は、その伝送状態を維持すべきである。
【００７２】
本実施例では、ユーザ装置が該重複伝送のアクティベーション又はディアクティベーションのための命令を受信した後に、前記ビットマップフィールドの指示に従って、次のような場合のうちの１つを選択して実行することができ、即ち、該PDCP実体の重複伝送状態をアクティベーションし、該PDCP実体は、同時に複数のリンク上で重複伝送され；該PDCP実体の重複伝送状態をディアクティベーションし、該PDCP実体は、同時に複数のリンク上でスプリット伝送され、即ち、異なるリンクが異なるPDCP  PDUを伝送する伝送モードであり；該PDCP実体の重複伝送状態をディアクティベーションし、該PDCP実体は、第一RLC実体上でシングルリンク伝送され；及び、該PDCP実体の重複伝送状態をディアクティベーションし、該PDCP実体は、第二RLC実体上でシングルリンク伝送される。
【００７３】
なお、以上、図5は、本発明の実施例を例示的に説明するためのものに過ぎず、本発明は、これに限定されない。例えば、各ステップ間の実行順序を適切に調整し、また、幾つかのステップを増減しても良い。言い換えれば、当業者が上述の内容を基に適切な変形を行っても良く、上述の図5の記載に限られない。
【００７４】
上述の実施例から分かるように、ネットワーク装置がビットマップフィールドによりユーザ装置に重複伝送のアクティベーション又はディアクティベーションのための命令を送信することで、ユーザ装置における１つ又は複数のPDCP実体又はRBに対して重複伝送モードのアクティベーション又はディアクティベーションを行うことができる。
【実施例２】
【００７５】
本発明の実施例は、命令受信装置を提供する。該命令受信装置は、例えば、ユーザ装置であっても良く、ユーザ装置に構成される１つ又は幾つかの部品又はアセンブリであっても良い。
【００７６】
図6は、本発明の実施例における命令受信装置を示す図である。図6に示すように、命令受信装置600は、以下のようなものを含む。
【００７７】
命令受信ユニット601：ネットワーク装置がビットマップフィールドにより送信する重複伝送のアクティベーション又はディアクティベーションのための命令を受信し；
伝送処理ユニット602：前記ビットマップフィールドに基づいて、１つ又は複数のPDCP実体又はRBの重複伝送をアクティベーション又はディアクティベーションする。
【００７８】
本実施例では、前記ビットマップフィールドにおける各ビット又は各複数のビットが、１つの前記パケットデータコンバージェンスプロトコル実体又は無線ベアラに対応しても良い。
【００７９】
図7は、本発明の実施例における命令受信装置を示す他の図である。図7に示すように、命令受信装置700は、命令受信ユニット601及び伝送処理ユニット602を上記のように含む。
【００８０】
また、図7に示すように、命令受信装置700は、さらに、以下のようなものを含んでも良い。
【００８１】
確定ユニット701：前記ビットマップフィールドにおける１つのビット又は複数のビットについて、対応する前記パケットデータコンバージェンスプロトコル実体のピア（peer）パケットデータコンバージェンスプロトコル実体が、前記命令を送信するネットワーク装置と関連付けられているか、又は、前記命令を送信するネットワーク装置にあるかを確定し；
読み取りユニット702：対応する前記パケットデータコンバージェンスプロトコル実体のピア（peer）パケットデータコンバージェンスプロトコル実体が、前記命令を送信するネットワーク装置と関連付けられており、又は、前記命令を送信するネットワーク装置にあると確定された場合、前記ビットマップフィールドにおける前記１つのビット又は複数のビットを読み取る。
【００８２】
本実施例では、前記読み取りユニット702は、さらに、対応する前記パケットデータコンバージェンスプロトコル実体のピア（peer）パケットデータコンバージェンスプロトコル実体が、前記命令を送信するネットワーク装置と関連付けられず、又は、前記命令を送信するネットワーク装置に無いと確定された場合、前記ビットマップフィールドにおける前記１つのビット又は複数のビットを無視するように用いられる。
【００８３】
本実施例では、前記ビットマップフィールドにおける第i個目のビット又は第i対目のビットは、データ無線ベアラ標識がiであるパケットデータコンバージェンスプロトコル実体に対応しても良く、又は、前記ビットマップフィールドにおける第i個目のビット又は第i対目のビットは、重複伝送標識がiであるパケットデータコンバージェンスプロトコル実体に対応しても良い。
【００８４】
本実施例では、前記ビットマップフィールドにおける第i個目のビット又は第i対目のビットが、前記ユーザ装置中で重複伝送と設定されるパケットデータコンバージェンスプロトコル実体に対して並べ替えを行った後の第i個目のパケットデータコンバージェンスプロトコル実体に対応しても良い。
【００８５】
例えば、重複伝送と設定される前記パケットデータコンバージェンスプロトコル実体は、ネットワーク装置が重複伝送を設定する（先後）順序に従って並べ替えることができ、また、対応するデータ無線ベアラ標識の（大小）順序に従って並べ替えることもできる。
【００８６】
本実施例では、前記ビットマップフィールドにおける各ビット又は各複数のビットのうちの１つの値が、対応する前記パケットデータコンバージェンスプロトコル実体の重複伝送状態の変更を指示するために用いられ、もう１つの値が、対応する前記パケットデータコンバージェンスプロトコル実体の重複伝送状態の維持を指示するために用いられる。
【００８７】
本実施例では、前記ビットマップフィールドにおける各ビット又は各複数のビットが、対応するPDCP実体が次のような操作のうちの１つを実行するように指示するために用いられても良く、即ち、前記PDCP実体の重複伝送がアクティベーションされ、且つ前記PDCP実体が同時に複数のリンク上で重複伝送され；前記PDCP実体の重複伝送がディアクティベーションされ、且つ前記PDCP実体が同時に複数のリンク上でスプリット伝送され；及び、前記PDCP実体の重複伝送がディアクティベーションされ、且つ前記PDCP実体が指定のRLC実体（例えば、第一RLC実体又は第二RLC実体）上でシングルリンク伝送される。
【００８８】
なお、以上、本発明に関連する各部品又はモジュールのみについて説明したが、本発明は、これに限定されない。命令受信装置600又は700は、さらに、他の部品又はモジュールを含んでも良い。なお、これらの部品又はモジュールの具体的な内容については、関連技術を参照することができる。
【００８９】
上述の実施例から分かるように、ネットワーク装置がビットマップフィールドによりユーザ装置に重複伝送のアクティベーション又はディアクティベーションのための命令を送信することで、ユーザ装置における１つ又は複数のPDCP実体又はRBに対して重複伝送モードのアクティベーション又はディアクティベーションを行うことができる。
【実施例３】
【００９０】
本発明の実施例は、さらに、通信システムを提供し、それについては、図1を参照することができ、また、ここでは、実施例1又は2と同じ内容を省略する。本実施例では、通信システム100は、以下のようなものを含んでも良い。
【００９１】
ネットワーク装置101又は102：ビットマップフィールドによりユーザ装置に重複伝送のアクティベーション又はディアクティベーションのための命令を送信し；
ユーザ装置103：実施例2に記載の命令受信装置600又は700を有する。
【００９２】
本発明の実施例は、さらに、ネットワーク装置を提供し、それは、例えば、基地局であっても良いが、本発明では、これに限定されず、他のネットワーク装置であっても良い。
【００９３】
図8は、本発明の実施例におけるネットワーク装置の構成図である。図8に示すように、ネットワーク装置800は、処理器810（例えば、中央処理装置CPU）及び記憶器820を含んでも良く、記憶器820は、処理器810に接続される。そのうち、該記憶器820は、各種のデータを記憶することができ、また、情報処理用のプログラム830をさらに記憶し、且つ処理器810の制御下で該プログラム830を実行することもできる。
【００９４】
例えば、処理器810は、プログラム830を実行して次のような制御を行うように構成されても良く、即ち、ビットマップフィールドによりユーザ装置に重複伝送のアクティベーション又はディアクティベーションのための命令を送信することで、前記ユーザ装置における１つ又は複数のPDCP実体又はRBの重複伝送をアクティベーション又はディアクティベーションする。
【００９５】
また、図8に示すように、ネットワーク装置800は、さらに、送受信機840、アンテナ850などを含んでも良く、そのうち、これらの部品の機能が従来技術と同様であるため、ここでは、その詳しい説明を省略する。なお、ネットワーク装置800は、図8に示す全ての部品を含む必要がない。また、ネットワーク装置800は、図8に無い部品をさらに含んでも良く、これについては、従来技術を参照することができる。
【００９６】
本発明の実施例は、さらに、ユーザ装置を提供するが、本発明では、これに限定されず、他の装置であっても良い。
【００９７】
図9は、本発明の実施例におけるユーザ装置を示す図である。図9に示すように、該ユーザ装置900は、処理器910及び記憶器920を含んでも良く、記憶器920は、データ及びプログラムを記憶し、且つ処理器910に接続される。なお、該図は、例示に過ぎず、該構造に対して他の類型の構造を以て補充又は代替を行うことで、電気通信機能又は他の機能を実現しても良い。
【００９８】
例えば、処理器910は、次のような制御を行うように構成されても良く、即ち、ネットワーク装置がビットマップフィールドにより送信する重複伝送のアクティベーション又はディアクティベーションのための命令を受信し、そして、前記ビットマップフィールドに基づいて、１つ又は複数のPDCP実体又はRBの重複伝送をアクティベーション又はディアクティベーションする。
【００９９】
図9に示すように、該ユーザ装置900は、さらに、通信モジュール930、入力ユニット940、表示器950、電源960などを含んでも良い。そのうち、これらの部品の機能が従来技術と同様であるため、ここでは、その詳しい説明を割愛する。なお、ユーザ装置900は、図9に示す全ての部品を含む必要がない。また、ユーザ装置900は、図9に無い部品をさらに含んでも良く、これについては、従来技術を参照することができる。
【０１００】
本発明の実施例は、さらに、コンピュータ可読プログラムを提供し、そのうち、ネットワーク装置中で前記プログラムを実行するときに、前記プログラムは、前記ネットワーク装置に、実施例1に記載の命令指示方法を実行させる。
【０１０１】
本発明の実施例は、さらに、コンピュータ可読プログラムを記憶した記憶媒体を提供し、そのうち、前記コンピュータ可読プログラムは、ネットワーク装置に、実施例1に記載の命令指示方法を実行させる。
【０１０２】
本発明の実施例は、さらに、コンピュータ可読プログラムを提供し、そのうち、ユーザ装置中で前記プログラムを実行するときに、前記プログラムは、前記ユーザ装置に、実施例1に記載の命令受信方法を実行させる。
【０１０３】
本発明の実施例は、さらに、コンピュータ可読プログラムを記憶した記憶媒体を提供し、そのうち、前記コンピュータ可読プログラムは、ユーザ装置に、実施例1に記載の命令受信方法を実行させる。
【０１０４】
また、上述の装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述のユーザ装置又は構成部品を実現させ、又は、該ロジック部品に、上述の各種の方法又はステップを実現させる。ロジック部品は、例えば、FPGA（Field  Programmable  Gate  Array）、マイクロプロセッサ、コンピュータに用いる処理器などであっても良い。本発明は、さらに、上述のプログラムを記憶した記憶媒体、例えば、ハードディスク、磁気ディスク、光ハードディスク、DVD、フラッシュメモリなどにも関する。
【０１０５】
さらに、図面に記載の機能ブロックのうちの1つ又は複数の組み合わせ及び／又は機能ブロックの1つ又は複数の組み合わせは、本明細書に記載の機能を実行するための汎用処理器、デジタル信号処理器（DSP）、特定用途向け集積回路（ASIC）、フィールドプログラマブルゲートアレイ（FPGA）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの1つ又は複数の組み合わせ及び／又は機能ブロックの1つ又は複数の組み合わせは、さらに、計算装置の組み合わせ、例えば、DSP及びマイクロプロセッサの組み合わせ、複数のマイクロプロセッサ、DSPと通信により接続される1つ又は複数のマイクロプロセッサ又は他の任意の構成の組み合わせとして構成されても良い。
【０１０６】
以上、本発明の好ましい実施形態を説明したが、本発明はこのような実施形態に限定されず、本発明の趣旨を離脱しない限り、本発明に対するあらゆる変更は本発明の技術的範囲に属する。
【図１】
0006962443.tif 000002
【図２】
0006962443.tif 000003
【図３】
0006962443.tif 000004
【図４】
0006962443.tif 000005
【図５】
0006962443.tif 000006
【図６】
0006962443.tif 000007
【図７】
0006962443.tif 000008
【図８】
0006962443.tif 000009
【図９】
0006962443.tif 000010